(57)【要約】【課題】稼働率が高く、かつ効果的な洗浄が可能な洗浄装置を提供することを課題とする。【解決手段】本発明は、洗浄液が噴射される複数のノズルと、前記複数のノズルに対応して設けられ、前記複数のノズルを独立に開閉可能な複数の開閉部と、を具備し、前記複数のノズルは、少なくとも２つ以上の異なる形状の前記ノズルを含む洗浄装置である。本発明によれば効率的な洗浄が可能である。【選択図】図４
2019122903.tif 000002
【特許請求の範囲】
【請求項１】
洗浄液が噴射される複数のノズルと、
前記複数のノズルに対応して設けられ、前記複数のノズルを独立に開閉可能な複数の開閉部と、を具備し、
前記複数のノズルは、少なくとも２つ以上の異なる形状の前記ノズルを含む洗浄装置。
【発明の詳細な説明】
【技術分野】
【０００１】
本発明は洗浄装置に関する。
【背景技術】
【０００２】
生産ラインでは切り屑などのコンタミネーションがワークに付着することがある。ワークの洗浄のために、洗浄液を噴射する洗浄機を用いる。生産ラインではさまざまな形状のワークを扱うことがあり、ワークの形状などに応じて洗浄液を適切に噴射することが好ましい。このため、形状の異なる複数のノズルを用いることがある。例えばワークに応じた適切なノズルを選択し、ノズルの交換を行う洗浄機が知られている（特許文献１）。
【先行技術文献】
【特許文献】
【０００３】
【特許文献１】特開２００３−１９４６６号公報
【発明の概要】
【発明が解決しようとする課題】
【０００４】
しかしノズルの交換作業の間は洗浄が停止し、洗浄工程の稼働率が低下する。このため生産ラインの効率が低下する恐れがある。そこで、稼働率が高く、かつ効果的な洗浄が可能な洗浄装置を提供することを目的とする。
【課題を解決するための手段】
【０００５】
上記目的は、洗浄液が噴射される複数のノズルと、前記複数のノズルに対応して設けられ、前記複数のノズルを独立に開閉可能な複数の開閉部と、を具備し、前記複数のノズルは、少なくとも２つ以上の異なる形状の前記ノズルを含む洗浄装置によって達成できる。
【発明の効果】
【０００６】
稼働率が高く、かつ効果的な洗浄が可能な洗浄装置を提供できる。
【図面の簡単な説明】
【０００７】
【図１】図１は洗浄装置を例示する斜視図である。
【図２】図２は洗浄装置を例示する正面図である。
【図３】図３（ａ）は図２の線Ａ−Ａに沿った断面図であり、図３（ｂ）は図２の線Ｂ−Ｂに沿った断面図である。
【図４】図４は図２の線Ｃ−Ｃに沿った断面図である。
【図５】図５は図２の線Ｃ−Ｃに沿った断面図である。
【発明を実施するための形態】
【０００８】
（実施形態）
以下、図面を参照して本実施形態の洗浄装置１００について説明する。図１は洗浄装置１００を例示する斜視図である。図２は洗浄装置１００を例示する正面図である。図１および図２に示すように、洗浄装置１００は例えばＮＣ（Numerical Control）洗浄機であり、ブロック１０、アーム１２および制御部３０を有する。
【０００９】
ブロック１０およびアーム１２は不図示の筐体の中に収納されている。ブロック１０はアーム１２の先端に設けられている。アーム１２はＺ方向に延伸し、例えばモータなどで駆動する。アーム１２が移動することで、ブロック１０は移動し、例えばワークの洗浄に適した位置に配置される。
【００１０】
ブロック１０の表面には複数のノズル２０〜２６が設けられている。ノズル２０〜２６からワークに向けて洗浄液を噴射することにより、ワークを洗浄する。ノズル２０〜２２はＹ方向に並び、ノズル２３〜２５はＹ方向に並ぶ。ノズル２６はノズル２０〜２５よりも−Ｚ側に位置する。各ノズルはブロック１０の表面よりもＸ側に突出する。
【００１１】
ノズル２０〜２６は異なる形状のノズルを含み、ノズル２０〜２５は円筒形状であり、ノズル２６は矩形である。ノズル２１および２４は互いに同じ直径を有し、ノズル２０、２２および２５は互いに同じ直径を有する。ノズル２０、２２および２５の直径はノズル２１および２４の直径より大きく、ノズル２３の直径はノズル２０、２２および２５の直径よりも大きい。ノズル２５は内側に十字型の仕切り板２５ａを有し、ノズル２６は内側に２つの仕切り板２６ａを有する。
【００１２】
ノズルの形状、サイズ、仕切り板の有無などにより、噴射される洗浄液の流れが変化する。このため、洗浄の対象となるワークの形状およびサイズなどに応じて、ノズル２０〜２６のうち適切なノズルを用いて洗浄することが好ましい。
【００１３】
図３（ａ）は図２の線Ａ−Ａに沿った断面図であり、図３（ｂ）は図２の線Ｂ−Ｂに沿った断面図である。図４および図５は図２の線Ｃ−Ｃに沿った断面図である。図３（ａ）から図５に示すようにブロック１０およびアーム１２内に配線３２および洗浄液通路４０が設けられ、図４および図５に示すようにブロック１０およびアーム１２内に洗浄液通路４０が設けられている。
【００１４】
洗浄液通路４０は分岐し、各ノズルに連通している。ブロック１０内には、各ノズルに対応して開閉部３４が設けられている。開閉部３４は電磁弁３６とピストン３８とを有し、ノズルを開閉可能である。ピストン３８は洗浄液通路４０内に配置され、電磁弁３６に連結されている。
【００１５】
制御部３０は例えばコンピュータなどであり、ＣＰＵ（Central Processing Unit）、ＲＡＭ（Random Access Memory）、ＲＯＭ（Read Only Memory）、及び記憶装置等を備える。制御部３０は、アーム１２の動作、冷却水の流量、および各開閉部３４の動作などを制御する。
【００１６】
制御部３０は、配線３２を介して複数の開閉部３４のそれぞれの電磁弁３６に電気的に接続され、電磁弁３６への電圧を制御することで、電磁弁３６およびピストン３８をＸ軸方向に移動させる。例えば図５の例では、ノズル２４および２６に対応するピストン３８が＋Ｘ側に移動し、洗浄液通路４０とノズル２４および２６との間はピストン３８により遮断される。また図５には図示していないが、洗浄液通路４０とノズル２０、２２、２３および２５との間もピストン３８により遮断される。一方、ノズル２１に対応するピストン３８は−Ｘ側に移動し、洗浄液通路４０とノズル２１とが連通する。このため、洗浄液はノズル２１から噴射され、他のノズルからは噴射されない。
【００１７】
またノズル２１、２４および２６を開き、複数のノズルから洗浄液が噴射されてもよい。例えばノズル２１および２４に対応するピストン３８を＋Ｘ側に移動させることでノズル２１および２４を閉じ、かつ洗浄液通路４０をノズル２６に連通させてもよい。ノズル２６に対応するピストン３８を−Ｘ側に移動させることでノズル２６を開き、ノズル２６から洗浄液を噴射することができる。このように制御部３０は開閉部３４によりノズル２０〜２６を互いに独立に開閉する。
【００１８】
以上、本実施形態によれば、複数の開閉部３４がノズル２０〜２６を独立に開閉することで、洗浄液が噴射されるノズルを選択することができる。これにより、ワークの形状およびサイズなどに応じた効果的な洗浄が可能である。
【００１９】
例えばワークの穴および溝などを洗浄する場合、径の小さなノズル２１または２４を用いる。洗浄の対象となる部分が広い場合、ノズル２６を用いてもよいし、複数のノズルから洗浄液を噴射してもよい。すなわち、開閉部３４の開閉により、ワークの特定部位へのピンポイントの洗浄およびワーク全体への洗浄が可能であり、ノズルの交換は不要である。
【００２０】
ブロック１０に複数のノズル２０〜２６が設けられており、制御部３０は開閉部３４の開閉により洗浄に使用するノズルを選択する。したがって、例えば異なる形状のノズルへの交換などを行わなくてよい。交換のために洗浄装置１００が停止しなくてよく、洗浄装置１００の稼働率が向上する。
【００２１】
生産ラインにおいて複数種類のワークの加工が行われる場合でも、洗浄装置１００により各ワークの洗浄が可能である。制御部３０はワークの形状およびサイズなどを取得し、ワークに適したノズルから洗浄液が噴射されるように、複数の開閉部３４を制御する。
【００２２】
ワークの洗浄に適さない形状のノズルからも洗浄液が噴射されると洗浄液が無駄になる。本実施形態によれば、ワークに適した形状のノズルから洗浄液が噴射され、他のノズルからは洗浄液が噴射されない。したがって洗浄液の無駄が抑制される。また、洗浄装置１００が洗浄を行わないとき、すべての開閉部３４が閉じることで洗浄液の漏洩が抑制される。
【００２３】
ノズルの数は６個以下でもよいし、８個以上でもよい。ノズルの形状および大きさは実施形態以外のものでもよい。少なくとも２つ以上の異なる形状のノズルがブロック１０に設けられ、それらに対応して開閉部３４を設ければよい。開閉部３４は、電磁弁３６およびピストン３８以外を用いた機構でもよく、ノズルを開閉できればよい。仕切り板の形状は図示したものに限定されない。
【００２４】
以上本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２５】
１０                    ブロック
１２                    アーム
２０〜２６              ノズル
２５ａ、２６ａ          仕切り板
３０                    制御部
３２                    配線
３４                    開閉部
３６                    電磁弁
３８                    ピストン
４０                    洗浄液通路
１００                  洗浄装置
【図１】
2019122903.tif 000003
【図２】
2019122903.tif 000004
【図３】
2019122903.tif 000005
【図４】
2019122903.tif 000006
【図５】
2019122903.tif 000007